(57)【要約】【課題】  バッテリの装着部へのロックを解除する操作に関して、操作性を向上させ且つ誤操作を抑制する放射線撮影装置を提供すること。【解決手段】  放射線を検出する放射線検出パネルと、該放射線検出パネルを収容する筺体と、該放射線検出パネルに電力を供給するバッテリと、を備える放射線撮影装置において、筺体は、放射線が入射する入射面と、入射面に対向する位置に配置される背面と、入射面と背面とを繋ぐ複数の側面を備え、背面に配置され、バッテリが着脱可能に装着される装着部と、所定の１方向に変位することによって、装着部に装着されたバッテリのロックの解除を行う操作部と、を有し、ロックの解除の変位方向が、複数の側面のうちの１つの側面であって、操作部に最も近接した側面に対して平行な方向であることを特徴とする放射線撮影装置。【選択図】  図３
2018011853.tif 000002
【特許請求の範囲】
【請求項１】
放射線を検出する放射線検出パネルと、該放射線検出パネルを収容する筺体と、該放射線検出パネルに電力を供給するバッテリと、を備える放射線撮影装置において、
前記筺体は、放射線が入射する入射面と、前記入射面に対向する位置に配置される背面と、前記入射面と背面とを繋ぐ複数の側面を備え、
前記背面に配置され、前記バッテリが着脱可能に装着される装着部と、
所定の１方向に変位することによって、前記装着部に装着されたバッテリのロックの解除を行う操作部と、を有し、
前記ロックの解除の変位方向が、前記複数の側面のうちの１つの側面であって、前記操作部に最も近接した側面に対して平行な方向であることを特徴とする放射線撮影装置。
【請求項２】
前記操作部は、前記複数の側面における近接した２つの側面のうち、前記操作部からの距離が遠い側面に対して垂直な方向に変位することで前記ロックの解除が行われることを特徴とする請求項１に記載の放射線撮影装置。
【請求項３】
前記操作部は、前記複数の側面における近接した２つの側面のうち、前記操作部からの距離が遠い側面から離れる方向に変位することで前記ロックの解除が行われることを特徴とする請求項１または２に記載の放射線撮影装置。
【請求項４】
前記操作部は、前記ロックの解除を行う解除位置と、前記ロックを行う収容位置との間で変位可能であり、前記収容位置と前記解除位置との間の変位は、前記所定の１つの操作によって行われることを特徴とする請求項１から３のいずれか１項に記載の放射線撮影装置。
【請求項５】
前記操作部は、前記バッテリに配置されることを特徴とする請求項１から４のいずれか１項に記載の放射線撮影装置。
【請求項６】
前記操作部は、前記筺体の背面上に配置されることを特徴とする請求項１から４のいずれか１項に記載の放射線撮影装置。
【請求項７】
前記バッテリを覆うように前記背面に配置されるカバー部を更に有することを特徴とする請求項１から４のいずれか１項に記載の放射線撮影装置。
【請求項８】
前記操作部は、前記カバー部に配置されることを特徴とする請求項７に記載の放射線撮影装置。
【請求項９】
前記カバーと前記バッテリは、前記操作部によるロックの解除が行われた状態において、前記装着部の外縁の一辺を回転中心の軸として回動させて前記装着部から取り外し可能であることを特徴とする請求項７または８に記載の放射線撮影装置。
【請求項１０】
前記カバーの前記回転中心の軸と、前記バッテリの前記回転中心の軸は互いに平行でない方向であることを特徴とする請求項９に記載の放射線撮影装置。
【発明の詳細な説明】
【技術分野】
【０００１】
本発明は、放射線検出パネルを用いた放射線撮影装置に関する。
【背景技術】
【０００２】
放射線の強度分布を検出してデジタル化された放射線画像を得る放射線撮影装置が普及している。また、近年、バッテリを搭載し、無線での放射線撮影が可能なワイヤレスの放射線撮影装置が開発されている。このため、放射線撮影装置は、無線での使用が可能になることにより可搬性が向上し、様々な姿勢での撮影に用いることができる。さらに、放射線撮影装置は、被検者が装置の端部を把持した状態で放射線撮影を行われる場合もありうる。
【０００３】
特許文献１には、筺体に設けられ、バッテリを着脱自在に装着される装着部と、バッテリを装着部に装着した状態でロックするロック機構と、該ロック機構のロック解除の操作を行う操作部を有する放射線撮影装置が開示されている。さらに、当該放射線撮影装置は、ロック機構を解除するために、少なくとも２つの操作を要する。
【先行技術文献】
【特許文献】
【０００４】
【特許文献１】特開２０１４−１４２３５５号公報
【発明の概要】
【発明が解決しようとする課題】
【０００５】
しかしながら、特許文献１に記載の放射線撮影装置では、ロック機構のロックを解除するための２つ以上の操作を要するため、操作が煩雑でありバッテリの着脱に時間がかかる。その一方で、放射線撮影装置は、１つの操作でバッテリのロックを解除可能とすると、可搬時あるいは撮影等に筺体を把持した場合に、意図せずロック機構に触れられてしまいバッテリが筺体から外れてしまう可能性がある。
【０００６】
本発明は、上記の課題に鑑みてなされたものであり、バッテリの装着部へのロックを解除する操作に関して、操作性を向上させ且つ誤操作を抑制する放射線撮影装置を提供することを目的とする。
【課題を解決するための手段】
【０００７】
本発明の放射線撮影装置は、放射線を検出する放射線検出パネルと、該放射線検出パネルを収容する筺体と、該放射線検出パネルに電力を供給するバッテリと、を備える放射線撮影装置において、前記筺体は、放射線が入射する入射面と、前記入射面に対向する位置に配置される背面と、前記入射面と背面とを繋ぐ複数の側面を備え、前記背面に配置され、前記バッテリが着脱可能に装着される装着部と、所定の１方向に変位することによって、前記装着部に装着されたバッテリのロックの解除を行う操作部と、を有し、前記ロックの解除の変位方向が、前記複数の側面のうちの１つの側面であって、前記操作部に最も近接した側面に対して平行な方向であることを特徴とする。
【発明の効果】
【０００８】
本発明の放射線撮影装置によれば、バッテリの装着部へのロックを解除する操作に関して、操作性を向上させ且つ誤操作を抑制することができる。
【図面の簡単な説明】
【０００９】
【図１】第一の実施形態における放射線撮影システムを示す図。
【図２】第一の実施形態における放射線撮影装置を示す図。
【図３】第一の実施形態における放射線撮影装置の背面を示す図。
【図４】第一の実施形態における装着部の周辺を示す図。
【図５】第一の実施形態における装着部の周辺を示す図。
【図６】第一の実施形態における装着部の周辺を示す図。
【図７】第二の実施形態における放射線撮影装置を示す図。
【図８】第二の実施形態におけるカバー部とバッテリの取り外しを示す図。
【図９】第二の実施形態におけるカバー部の取り外しを示す図。
【図１０】第二の実施形態におけるカバー部の取り外しを示す図。
【発明を実施するための形態】
【００１０】
以下、本発明の実施形態について、添付の図面を参照して具体的に説明する。ただし、各実施形態に示す寸法や構造の詳細は、本文および図中に示す限りではない。なお、本明細書では、Ｘ線だけでなく、α線、β線、γ線、粒子線、宇宙線なども、放射線に含まれるものとする。
【００１１】
（第一の実施形態）
図１を用いて放射線撮影システム１０の構成について説明する。図１は、第一の実施形態における放射線撮影システム１０の構成例を示したものである。
【００１２】
放射線撮影システム１０は、放射線撮影装置１００と、制御装置２００と、放射線発生制御装置３００と、放射線源４００とを少なくとも有する。
【００１３】
放射線撮影装置１００は、放射線源４００から照射された放射線に基づいて被写体の放射線画像データを取得する。放射線撮影装置１００は、被写体の放射線画像を撮影する場合には、放射線源４００および被写体との位置関係が調整され、放射線源４００から照射された放射線が入射する位置に設置される。当該設置は、操作者による手動動作および制御装置２００が放射線源４００、被写体、放射線撮影装置１００の位置関係に基づいて自動で制御してもよい。放射線撮影装置１００は、取得した放射線画像データを無線通信により制御装置２００に送信する。制御装置２００は、受信した放射線画像データに対して画像処理を施し、表示装置（不図示）に画像処理後の放射線画像データを表示させる。操作者は、表示装置に表示された放射線画像（画像処理後の放射線画像データ）により撮影の成否を判断することができる。
【００１４】
次に、図２を用いて、第一の実施形態における放射線撮影装置１００を説明する。図２（ａ）は、本実施形態における放射線撮影装置１００を示す斜視図である。図２（ｂ）は、図２（ａ）におけるＡ―Ａ断面を示す図である。
【００１５】
放射線撮影装置１００は、放射線を電気信号に変換するための放射線検出パネル１を有する。放射線検出パネル１は、入射した放射線を電気信号に変換する機能を有する。放射線検出パネル１は、ガラス基板上に複数の光電変換素子が二次元状に配置されたセンサ基板１ｃと、センサ基板１ｃの上に配置された蛍光体層１ａと、蛍光体層１ａの上に配置された蛍光体保護膜１ｂから構成される。センサ基板１ｃ上に配置される複数の光電変換素子は、ＭＩＳ型、ＰＩＮ型の可視光を検出し得る変換素子が用いられる。蛍光体保護膜１ｂは、防湿性が比較的高い材料から成り、蛍光体層１ａを保護するために用いられる。上述の構成により、放射線検出パネル１は、入射した放射線によって蛍光体層１ａが発光し、当該発光した光をセンサ基板１ｃ上に配置された光電変換素子が電気信号に変換する。放射線検出パネル１は、蛍光体層１ａと光電変換素子の代わりに、放射線を直接電気信号に変換する直接変換型の変換素子を使用してもよい。
【００１６】
放射線検出パネル１は、フレキシブル回路基板４を介して、制御基板５と電気的に接続されている。制御基板５は、放射線検出パネル１によって変換された電気信号を読み出し、読み出した電気信号を処理する。制御基板５は、当該電気信号をデジタル信号に変換し放射線画像データを取得する。
【００１７】
支持基台６は、放射線の入射側に放射線検出パネル１を支持する。また、支持基台６は、放射線検出パネル１を支持する面と対向する面に、制御基板５を支持する。更に、放射線撮影装置１００は、筺体７と放射線検出パネル１との間に、放射線検出パネル１を外力から保護する緩衝材３を有する。
【００１８】
筺体７は、放射線検出パネル１、緩衝材３、制御基板５、支持基台６を収容する。筺体７は、複数の面から構成される略直方体の形状である。筺体７は、放射線が入射する入射面７ａと、放射線検出パネル１を挟んで入射面７ａと対向する位置に配置される背面７ｂと、入射面７ａと背面７ｂとを繋ぐ複数の側面７ｃを有している。
【００１９】
入射面７ａは、放射線を入射させるため、放射線の透過率が比較的高いことが好ましい。更に、入射面７ａは、重量が軽く、かつ衝撃に対し一定の強度を確保できることが好ましい。そのため、入射面７ａは、例えば、樹脂材料やＣＦＲＰ（炭素繊維強化プラスチック）などが用いられる。入射面７ａは、被検者の体に直接接する場合に被検者に与える違和感を低減するために、実質的に平坦の構造となっている。ここで、実質的に平坦とは、完全に平坦な構造となる場合に加えて、製造等による若干の誤差がある場合も含む。
【００２０】
背面７ｂおよび側面７ｃは、落下や衝撃などに対する強度確保、運搬時の負担軽減を目的とした軽量化、および操作性の高さが確保されていることが好ましい。例えば、マグネシウムやアルミニウムなどの金属合金、ＣＦＲＰや繊維強化樹脂などが用いられる。また、筺体７の外部から受けるノイズを効果的に低減するためにＳＵＳ４３０等の透磁率が比較的高い材料を用いてもよい。
【００２１】
更に、放射線撮影装置１００は、放射線検出パネル１および制御基板５に対して電力を供給するバッテリ３０を備えている。放射線検出パネル１および制御基板５は、バッテリ３０からの電力供給に基づいて撮影のための動作が可能になる。バッテリ３０は、一例として、リチウムイオン電池または電気二重層コンデンサ等の二次電池と、これらを収容する外装から構成される。放射線撮影装置１００は、バッテリ３０からの電力供給により、無線での撮影動作が可能となり、可搬性が向上する。
【００２２】
ここで、筺体７は、バッテリ３０を装着した状態において、バッテリ３０の外表面と背面７ｂとが、実質的に平坦な形状となっている。ここで、実質的に平坦とは、完全に平坦な構造となる場合に加えて、製造等による若干の誤差がある場合も含む。このため、寝た状態の被検者とベッドの隙間に配置した場合であっても、被検者に違和感を与えない構成となっている。
【００２３】
次に、図３を用いて、放射線撮影装置１００の背面部分の構造を説明する。図３（ａ）、（ｂ）は、それぞれ、放射線撮影装置１００を放射線の入射側とは反対側（以下、背面側）から見た図である。まず、図３（ａ）を用いて筺体の構成を説明する。
【００２４】
筺体７は、背面７ｂに配置され、バッテリ３０を着脱可能に装着するための装着部４０を備えている。更に、放射線撮影装置１００は、装着部４０に装着されたバッテリ３０のロックの解除を行う操作部５を備える。操作者は、操作部５に対し背面７ｂと同一平面上の所定の１つの操作をすることにより、バッテリ３０のロックを解除し、バッテリ３０を取り外すことができる。言い換えると、操作部５は、背面７ｂと同一平面上の所定の１つ方向に変位することにより、ロックを解除する。
【００２５】
図３（ａ）の矢印ｚは、操作部５の変位可能な方向を示している。線分ｘおよび線分ｙは、それぞれ、背面側から見て、操作部５の変位方向ｚの始点から操作部５に近接した筺体７の２側面への垂線の長さを示している。ここで、線分ｙと操作部５の操作方向ｚは平行であり、線分ｘと操作部５の操作方向ｚは垂直である。複数の側面７ｃのうち近接する２つの側面と操作部５の配置は、線分ｘよりも線分ｙの方が長くなるように規定されている。つまり、操作部５における、ロックの解除の変位方向である所定の１つの変位の方向は、複数の側面７ｂのうちの１つの側面であって、操作部５との最も近接した側面に対して平行な方向になるように規定されている。
【００２６】
このため、操作部５は、側面７ｃの把持に対して、操作者の指が操作部５に触れてしまっても、ロックが解除されることを抑制できる。また、換言すると、操作部５が、複数の側面７ｃにおける近接した２つの側面のうち、操作部５からの距離が遠い側面に対して垂直な方向に操作させることによって、ロックが解除される。このため、側面７ｃの把持からなるべく遠い位置に操作部５が配置されるよう規定されているため、バッテリ３０のロックが意図せず解除されてしまうことを抑制できる。
【００２７】
以上の構成により、バッテリ３０のロックが意図せず解除されてしまうことを抑制できる。また、撮影台（架台）に対する放射線撮影装置１００の設置時、または、被検者と寝台への間の設置時にロックが解除されることを抑制することができる。特に、膝や肩の撮影では、様々な姿勢で被検者が放射線撮影装置１００を把持するため、誤操作を引き起こす可能性が他の作業と比較して高い。このため、バッテリ３０が意図せず外れた状態で放射線の照射が行われ、被検者に不要な被曝を与える可能性を抑制することができる。
【００２８】
次に、図３（ａ）、（ｂ）を用いて、把持部１９と操作部５の配置関係について説明する。図３（ａ）、（ｂ）に示すように、筺体７は、背面７ｂの外縁に、操作者が筺体７を把持するための把持部１９を備える。把持部１９は、背面７ｂの平面上に設けられた凹み部分である。把持部１９によって、操作者および被検者は、筺体７を把持する場合に、指をかけることができ、放射線撮影装置１００の操作性が向上する。図３（ａ）における筺体７は、背面側からみて、背面７ｂの外縁における、操作部５に近接した２つの側面のうち操作部５との距離が遠い側の側面に沿うように把持部１９が設けられた例を示す。把持部１９と操作部５との配置において、把持部１９から操作部５までの長さが十分離れていれば、操作者が把持をする際に意図せずバッテリ３０のロックが解除されることを抑制できる。
【００２９】
ここで、図３（ｂ）を用いて、背面７ｂにおける把持部１９の配置が図３（ａ）と異なる例を示す。図３（ａ）と比較して、図３（ｂ）における筺体７は、操作部５に近接した２つの側面のうち、操作部５との距離が遠い側の側面７ｃの変位方向の延長線上とは異なる位置に把持部１９が配置される構成となっている。このため、操作者が把持部１９に指をかけて筺体７を把持する際に、バッテリ３０のロックが意図せず解除されてしますことを抑制することができる。ここで、人体の手の指の長さ、特に中指の長さは、一般的に１００ｍｍ程度とされる。このため、図３（ａ）の構成は、線分ｙの長さが１００ｍｍを越える場合には、バッテリ３０のロックの解除が、意図せず行われることを効果的に抑制することができる。一方で線分ｙの長さが１００ｍｍを下回る場合には、操作部５が意図せずロック解除をされる恐れがある。そのため、操作部５と把持部１９との配置は、上述した図３（ｂ）のように構成されていることが好ましい。あるいは、操作部５と把持部１９との配置は、後述する図５，６で示すように、近接する２つの側面のうち、操作部５との距離が遠い側面から離れる方向に操作することによりロックが解除されるように構成されていることが好ましい。
【００３０】
図４を用いて、本実施形態におけるバッテリ３０のロック機構について説明する。図４（ａ）は、放射線撮影装置１００の断面であって、装着部４０に装着されたバッテリ３０の周辺部を示す図である。図４（ｂ）は、放射線撮影装置１００を背面側から見た平面図であって、バッテリ３０の周辺部を示す図である。ここで、図４および図５は、それぞれ、筺体７側に操作部５が構成される例を示し、図６は、バッテリ３０側に操作部５が構成される例を示す。
【００３１】
図４における放射線撮影装置１００は、案内部９を備える。案内部９は、筺体７の背面７ｂであって、装着部４０と隣接する位置に設けられた凹みの内部に配置される。案内部９は、操作部５のＺ方向への移動を補助し、操作部５の配置を規定する。例えば、案内部９は、リニアガイド等で構成される。また、案内部９は、案内部９上での操作部５の配置を規定する機能を備える。案内部９は、操作部５との間に磁石を有し、操作部５と案内部９との配置を、磁力により保持してもよい。また、操作部５と案内部９との間にキャッチ機構を配置し、操作部５と案内部９との配置が機械的に保持される構成としてもよい。当該構成により、操作部５は、バッテリ３０のロックを行う収容位置と、バッテリ３０のロックの解除を行う解除位置との間で変位可能に移動が可能となる。更に、操作部５は、案内部９上をスライドして移動可能であり、操作者による所定の１方向の操作により変位する。ここで、収納位置は、操作部５とバッテリ３０とが係合する場合の操作部５の位置を示す。解除位置は、操作部５とバッテリ３０とが係合が解除される場合の操作部５の位置を示す。操作部５は、収納位置に配置されることにより、バッテリ３０が装着部４０から外れないようにロックできる。
【００３２】
はじめに、バッテリ３０が、装着部４０にロックされる場合について説明する。バッテリ３０は、筺体７と係合するための窪み３１と、操作部５と係合するための窪み３２を有する。操作部５は、突出部４１を有する。バッテリ３０が装着部４０に装着された状態において、筺体７の突出部４２とバッテリ３０の下部にある窪み３２が係合する。この場合には操作部５は、解除位置に配置されている。そして、操作部５が収納位置に移動すると、突出部４１が、バッテリ３０の窪み３１と係合する。この状態において、バッテリ３０は、筺体７に対してロックされる。このように、装着部４０に装着されたバッテリ３０は、操作部５および筺体７の構造によって、ロックが確実に行われる。次に、バッテリ３０のロックが解除される場合について説明する。操作部５は、図４における上方向への移動することにより、解除位置に配置される。操作部５がロック解除位置に配置されることにより、操作部５の突出部４１とバッテリ３０の窪み３１との係合が解除される。バッテリ３０は装着部４０から取り出し可能となる。
【００３３】
次に、図５における放射線撮影装置１００について説明する。図５における放射線撮影装置１００は、操作部５を筺体７の側面７ｃから離れる方向に移動させることにより、バッテリ３０が取り出される構造となっている。
【００３４】
バッテリ３０は、凸部１０が構成されている。凸部１０は、バッテリ３０との接続部に圧縮ばね（不図示）が構成され、操作部５から所定の外力がかかるとバッテリ３０内に凹む構造となっている。図５に示すように、バッテリ３０は、凸部１０が爪部１１と係合することで装着部４０にロックされた状態となる。また、バッテリ３０を取り外す場合は、操作部５を図中の下方向へ移動させることで、操作部５の先端部が、バッテリ３０を装着部４０から外れる方向に力を付与する。そして、バッテリ３０は、凸部１０が爪部１１の外側に位置した場合に、バッテリ３０のロックは解除される。操作部５と筺体７との間には、引張ばね１２が構成され、操作部５はバッテリ３０のロックの解除するように変位した後、引張ばね１２の力により、図上方向の収納位置にスライド移動する。これにより、バッテリ３０は、装着部４０への装着時に操作部５と干渉せずに収容される。なお、凸部１０は、放射線撮影装置１００側に構成し、爪部１１は、バッテリ３０側に構成してもよい。
【００３５】
次に、図６における放射線撮影装置１００について説明する。図４とは、案内部９および操作部５がバッテリ３０側に配置されている点が異なる。
【００３６】
図６における放射線撮影装置１００は、操作部５とバッテリ３０の間に圧縮ばね１４が構成される。そして、バッテリ３０は、操作部５の上端部が爪部１３の内側に係合した状態で装着部４０に対してロックされる。そして、操作部５は、解除位置（図６中の下方向）に変位することにより、凸部１３との係合が解除される。そして、操作部５と凸部１３との係合が解除された状態において、操作者はバッテリ３０を取り外すことができる。バッテリ３０が、装着部４０へ装着される際には、凸部１３に操作部５の傾斜５１が接触することで、筺体７との反作用による反力により操作部５の圧縮ばね１４が下方向へ押し込まれる。また、バッテリ３０が筺体７へ収納されると圧縮ばね１４の力により操作部５が上方向へ移動する。そして、操作部５が凸部１３に係合することで、バッテリ３０は筺体７に保持される。
【００３７】
図５，６の構成において、操作部５は、筺体７における近接した２つの側面のうち距離が遠い側の側面に対して近づく方向に変位することで、バッテリ３０がロックされるように作用する。このため、操作者が筺体７を把持した指が操作部５に接触し、操作者の動作あるいは、放射線撮影装置１００の自重で操作部５が意図せず保持を解除してしまうことを抑制し得る。
【００３８】
図４、５の構成において、バッテリ３０には、窪み以外の特別な機構を持たなくてもロックが可能となる。そのため、バッテリ３０には、汎用的なバッテリが選択される。また、図６のように、バッテリ３０側に操作部５を構成する場合には、操作部５に不具合が発生した場合であっても、筺体７を交換することなく、バッテリ３０を交換することで対応可能である。
【００３９】
（第二の実施形態）
図７から図１０を用いて、第二の実施形態における放射線撮影装置について説明する。本実施形態における放射線撮影装置５００は、筺体７における背面７ｂの平面上で、バッテリ３０を覆うように配置されるカバー部１５を備え、該カバー部１５を筺体から着脱自在とする可能な構成としている。
【００４０】
図７（ａ）は、放射線撮影装置５００を背面から見た図である。図７（ｂ）は、放射線撮影装置５００の断面であって、バッテリの周辺部を示す図である。図７（ｃ）は、放射線撮影装置５００を背面側から見た図であって、装着部８０に装着されたバッテリ７０の周辺部を示す図である。
【００４１】
放射線撮影装置５００は、カバー部１５を備える。カバー部１５は、バッテリ７０を外力から保護し、且つ、バッテリ７０に対して筺体７の外部から水が流入することを抑制する。カバー部１５は、放射線撮影装置５００に対して着脱可能に構成されている。カバー部１５の着脱動作は、第一の実施形態におけるバッテリ７０と同様に、操作部５を所定の１方向に操作することによって行われる。つまり、操作部５が所定の１方向に変位することにより、カバー部１５が取り外し可能となる。
【００４２】
放射線撮影装置５００は、カバー部１５をロックするとともに、カバー部１５の内側に配置されたバッテリ７０を保持する。このため、カバー部１５は、装着部８０に装着されたバッテリ７０を間接的にロックしていると言える。バッテリ７０は、カバー部１５に覆われた状態で放射線撮影装置５００内に配置されている。ここで、筺体７の背面７ｂとカバー部１５の外壁とで構成される面は実質的に平坦な形状となっている。ここで、実質的に平坦とは、完全に平坦な構造となる場合に加えて、製造等による若干の誤差がある場合も含む。
【００４３】
図７（ｂ）、（ｃ）を用いてカバー部１５の着脱機構について説明する。図７（ｂ）、（ｃ）において、操作部５は、カバー部１５に配置される。図７（ｂ）、（ｃ）におけるカバー部１５は、操作部５と圧縮ばね１４とを有する。カバー部１５は、筺体７と係合するための窪み８１を有する。カバー部１５が筺体７に装着された状態において、筺体７の突出部８２とカバー部１５の窪み８１が係合する。そして、カバー部１５は、操作部５の端部が筺体７の凸部１３に係合した状態において、筺体７にロックされる。操作部５は、図７中の下方向に移動されることにより、凸部１３への係合が解除される。そして、操作部５と凸部１３との係合が解除された状態において、操作者はカバー部１５を取り外すことができる。そして、カバー部１５のロックの解除の操作方向を行うことに応じて、バッテリ３０も着脱可能となる。カバー部１５を筺体７の背面７ｂへ装着する際には、凸部１３の外側に操作部５のテーパがついた先端部が接触することで、筺体７へ加えられる力により操作部５が図７中の下方向へ移動する。また、カバー部１５が筺体７へ収納されると圧縮ばね１４の力により操作部５が上方向へ移動する。そして、操作部５が凸部１３に係合することで、カバー部１５は筺体７にロックされる。
【００４４】
上記の構造により放射線撮影装置５００は、第一の実施形態と同様に操作部５の誤操作を抑制しつつ、カバー部１５によるバッテリへの外力からの保護および防水性能を向上することができる。
【００４５】
次に、図８を用いて、放射線撮影装置５００からバッテリ７０とカバー部１５の着脱機構に関して説明する。図８は、放射線撮影装置５００の背面側からの斜視図である。ここで、図８（ａ）は、カバー部１５の取り外しに関する図であり、図８（ｂ）は、バッテリ７０の取り外しに関する図である。
【００４６】
図８（ａ）において、カバー部１５は、操作部５が配置された辺に対向する辺側の一部が放射線撮影装置５００と係合されている。カバー部１５は、操作部５の操作によるロックが解除された状態において、該係合された部分を含む軸１６を中心に回動して、放射線撮影装置５００から外れる。そして、図８（ｂ）においては、バッテリ７０は、軸１６と垂直な辺（平行ではない辺）で放射線撮影装置５００と係合されている。バッテリ７０は、カバー部１５が外れた後、軸１７を中心に回動することにより放射線撮影装置５００から取り外される。なお、バッテリ７０は、筺体７の側面に近接した辺側に向かって回動するように構成としてもよい。この場合、バッテリ７０は、近接した側面との距離が短くなるため、バッテリ７０の着脱時の落下による破損を抑制することができる。
【００４７】
図９は、カバー部１５と筺体７とが係合する係合部を示す図である。ここで、図９（ａ）は、カバー部１５が放射線撮影装置５００に対して閉じられた状態を示す。図９（ｂ）は、カバー部１５が放射線撮影装置５００に対して開いた状態を示す。カバー部１５およびバッテリ７０は、操作部５によるロックの解除が行われた状態において、装着部８０の外縁の一辺を回転中心の軸として回動させて装着部８０から取り外すことができる。図９（ａ）は、カバー部１５と筺体７との間の引っかかりを利用して回動する。図９（ｂ）は、バッテリ７０と筺体７との間の引っかかりを利用して回動する。なお、軸１６がバッテリ７０の上部にある場合には、カバー部１５を閉じた状態から少なくとも９０°以上開くことで、バッテリ７０の回動が可能となる。
【００４８】
図１０は、カバー部１５と筺体７とが係合する係合部を示す図である。図１０（ａ）、（ｂ）は、それぞれ、放射線撮影装置５００の断面であって、バッテリ７０の周辺を示す図である。図１０は、カバー部１５と筺体７とが分離しない場合の例を示す。ここで、図１０（ａ）は、カバー部１５が放射線撮影装置５００に対して閉じた状態を示す。図１０（ｂ）は、カバー部１５が放射線撮影装置５００に対して開いた状態を示す。
【００４９】
図１０では、カバー部１５は、蝶番１８により回動する。蝶番１８を構成する場合、蝶番１８の回動軸と軸１６は一致する。なお、カバー部１５の取り外しのためには、蝶番１８は、カバー部１５側と放射線撮影装置５００側で分離可能なものであっても良い。
【００５０】
以上の構成により、カバー部１５とバッテリ７０は、各外形の一辺を軸に回動し、各軸が、互いに平行でないように構成することで、カバー部１５の開閉時にバッテリ７０が意図せず脱落することを抑制できる。
【００５１】
以上、実施形態に基づいて詳述してきたが、これらの特定の実施形態に限られるものではなく、発明の要旨を逸脱しない範囲の様々な形態も本発明の範疇に含まれる。さらに、上述した実施形態は一実施の形態を示すものにすぎず、上述した実施形態から容易に想像可能な発明も本発明の範疇に含まれる。
【符号の説明】
【００５２】
１  放射線検出パネル
５  操作部
７  筺体
３０  バッテリ
４０  装着部
１００  放射線撮影装置
【図１】
2018011853.tif 000003
【図２】
2018011853.tif 000004
【図３】
2018011853.tif 000005
【図４】
2018011853.tif 000006
【図５】
2018011853.tif 000007
【図６】
2018011853.tif 000008
【図７】
2018011853.tif 000009
【図８】
2018011853.tif 000010
【図９】
2018011853.tif 000011
【図１０】
2018011853.tif 000012